(57)【要約】【課題】スライドファスナの閉止端部を覆うフラップをロック付きの係着手段を介して衣服本体に留め付けることでスライダの開き操作を抑制する抑制衣について、フラップに覆われたスライダが不適切な操作によって開かれにくくなる簡素で合理的な構成を提案する。【解決手段】フラップ４０は、スライドファスナ２よりも幅広の布体がスライドファスナ２の延長先で折り返され、その折り返しライン４１に交差する片側の辺縁部４２が、スライドファスナ２と衣服本体との縫合ラインに沿って閉じ合わせ部分の片側の表裏両面に縫合されてなるものであり、折り返されたフラップ４０の裏面には、スライドファスナ２の閉止端部に位置するスライダ３の引手３２を収容し得るポケット６が設けられる。【選択図】図３
2020070526.tif 000002
【特許請求の範囲】
【請求項１】
スライドファスナによって開閉される衣服本体の閉じ合わせ部分の片側に前記スライドファスナの閉止端部を覆うフラップが取り付けられ、前記フラップの自由端側がロック付きの係着手段を介して前記閉じ合わせ部分の他側に留め付けられる抑制衣において、
前記フラップは、前記スライドファスナの閉止端部を表裏両側から覆うように前記スライドファスナの延長先で折り返され、その折り返しラインに交差する片側の辺縁部が、前記スライドファスナと衣服本体との縫合ラインに沿って、前記閉じ合わせ部分の片側の表裏両面に縫合されるとともに、
折り返された前記フラップの表側部分の裏面に、前記スライドファスナの閉止端部に位置するスライダの引手を収容し得るポケットが設けられた
ことを特徴とする抑制衣。
【請求項２】
請求項１に記載された抑制衣において、
前記ポケットは、その辺縁部のうち少なくとも前記スライドファスナの開き側の辺縁部および前記フラップの自由端側の辺縁部が前記フラップに縫合されて、前記スライドファスナの閉じ側の辺縁部が開口している
ことを特徴とする抑制衣。
【請求項３】
請求項１または２に記載された抑制衣において、
前記フラップの表側部分には、前記ポケットの内側で前記スライダの引手に係合する抜け止め手段が設けられている
ことを特徴とする抑制衣。
【請求項４】
請求項３に記載された抑制衣において、
前記抜け止め手段は、前記ポケットの開口している辺縁部と重なるように前記フラップに縫合された抜け止め片である
ことを特徴とする抑制衣。
【請求項５】
請求項３に記載された抑制衣において、
前記抜け止め手段は、前記ポケットの内側に突出して前記スライダの引手に係合する抜け止め突起である
ことを特徴とする抑制衣。
【請求項６】
請求項１〜５のいずれか一項に記載された抑制衣において、
前記フラップにおける折り返しラインの近傍部分は、前記衣服本体の閉じ合わせ部分よりも前記スライドファスナの延長先へはみ出し、そのはみ出し部分は、前記衣服本体に縫合されない縫い残し部となされている
ことを特徴とする抑制衣。
【発明の詳細な説明】
【技術分野】
【０００１】
本願が開示する発明は、介護・医療施設等において被介護者が着用するスライドファスナ付きの抑制衣に関する。より詳細には、認知症や精神病等の症状を有する被介護者が自分で勝手にスライドファスナを開いて脱衣したり、自傷行為や不潔行為をしたりするのを防止し得る抑制衣に関する。
【背景技術】
【０００２】
介護・医療施設等においては、疾病、障害、高齢等によって寝たきりになる人を介護するに際し、つなぎ寝衣タイプの介護用衣服がよく利用されている。その種の介護用衣服は、例えば図１に示すように、襟元部１１から前身頃部（左身頃部１４Ｌと右身頃部１４Ｒとの間）を経由して右脚の裾部１２に至る正面部分や、右脚の裾部１２から股間を経て左脚の裾部１３に至る内股部分等に複数本のスライドファスナ２が取り付けられており、それらを開くことで、着替えや診察、排泄処理等を容易に行えるように構成されている。また、背中部分や脇下部分にスライドファスナを取り付けたものもある。スライドファスナ２については、スライダ３を開放端部まで移動させると閉じ合わせ部分が完全に分離する「開きタイプ」のファスナと、スライダ３の開放端部が止具で結合されて分離しない「止めタイプ」のファスナとが、介護業務のニーズ等に応じて選択的に利用される。図１に例示した形態では、両端部から開閉し得るダブルファスナが採用されている。
【０００３】
このような介護用衣服の利用者の中には、認知症や精神病等の症状を有する被介護者もいる。それらの被介護者は、自分で勝手にスライドファスナ２を開いて脱衣したり、自傷行為や不潔行為をしたりするおそれがあるので、かかる行為を防ぐために、スライドファスナ２の開き操作を抑制する手段を設けたものが利用されることがある。図１０および図１１は、それぞれ特許文献１および特許文献２に開示されている介護用衣服に設けられたスライドファスナの抑制手段の概要を示す。これらは、スライドファスナ２の閉じ合わせ部分の片側表面に、スライドファスナ２の閉止端部を覆うフラップ４（覆片）を取り付け、そのフラップ４の自由端側を閉じ合わせ部分の他側表面に重ねて、ロック付きのスナップボタン５で留め付けるように構成されている。ロック付きのスナップボタン５は、重ねて押さえれば簡単に嵌合するが、ロックを解除する操作にはコツを要し、その操作が認知症や精神病等の症状を有する被介護者にはわかりづらくなっている。このような抑制手段を用いてスライドファスナ２を開け難くすることにより、被介護者の安全や衛生状態を守るとともに、介護者の負担を軽減している。
【先行技術文献】
【特許文献】
【０００４】
【特許文献１】実開平２−１３２６１２号公報
【特許文献２】登録実用新案第３２０２０３２号公報
【発明の概要】
【発明が解決しようとする課題】
【０００５】
前記従来のスライドファスナの抑制手段は、フラップ４と衣服本体との間に、スライドファスナ２の開閉方向に沿って隙間ができるように構成されている。したがって、その隙間に被介護者が指先を潜り込ませると、フラップ４に覆われたスライダ３に触れることが可能であり、その指先でスライダ３を揉み出すようにすると、スライダ３が徐々に開き側に押し出されて、フラップ４を閉じたままでもスライドファスナ２が開かれてしまうことがある。
【０００６】
特許文献１に開示された抑制手段は、フラップ４を縦長に拡大し、スライドファスナ２の開閉方向に沿ってスナップボタン５を３組、並べている。しかし、それでもスライドファスナ２の閉止端部の側からフラップ４の裏側に指先を潜り込ませることは可能であり、その指先でスライダ３を開き側へと徐々に押し出すことを防ぎきれない。
【０００７】
特許文献２に開示された抑制手段は、スライドファスナ２の閉止端部の近傍に筒状部材９を取り付けて、その筒状部材９にスライダ３の引手３２を収容し、その上からフラップ４を被せて留め付けるように構成されている。筒状部材９は、帯状の布体をループ状に折り返して両端部を重ね、前身頃の閉じ合わせ部分の片側に、スナップボタン５の基布と一緒に縫合されている。しかし、この構成でも、フラップ４の両端縁と衣服本体との隙間からフラップ４の裏側に指先を潜り込ませることは可能である。そして、筒状部材９の表裏両面がフラップ４からも衣服本体からも離れているので、フラップ４の裏側に潜り込ませた指先で、筒状部材９の外側からスライダ３の引手３２を閉止端部の側へ揉み出すようにして筒状部材９から押し出し、結果的にスライドファスナ２を開いてしまうことを防ぎきれない。
【０００８】
本願が開示する発明は、前述のような事象を防止することを目的としており、スライドファスナの閉止端部を覆うフラップをロック付きのスナップボタン等によって衣服本体に留め付けることでスライダの開き操作を抑制する介護用衣服その他の抑制衣について、フラップに覆われたスライダが不適切な操作によって開かれることを防ぎ易い簡素で合理的な抑制手段を提案するものである。
【課題を解決するための手段】
【０００９】
前述の課題を解決するために本願が開示する発明は、スライドファスナによって開閉される衣服本体の閉じ合わせ部分の片側に前記スライドファスナの閉止端部を覆うフラップが取り付けられ、前記フラップの自由端側がロック付きの係着手段を介して前記閉じ合わせ部分の他側に留め付けられる抑制衣において、前記フラップは、前記スライドファスナの閉止端部を表裏両側から覆うように前記スライドファスナの延長先で折り返され、その折り返しラインに交差する片側の辺縁部が、前記スライドファスナと衣服本体との縫合ラインに沿って、前記閉じ合わせ部分の片側の表裏両面に縫合されるとともに、折り返された前記フラップの表側部分の裏面に、前記スライドファスナの閉止端部に位置するスライダの引手を収容し得るポケットが設けられた、との構成を採用する。
【００１０】
この構成によれば、フラップがスライドファスナの延長先で折り返されて、スライドファスナの閉止端部を表裏両面から覆うので、従来のように、スライドファスナの閉止端部の側からフラップと衣服本体との間に指先を挿し込んでスライダを開き側に押し出すことができなくなる。スライドファスナの開き側については、従来と同様にフラップと衣服本体との間に隙間ができるが、スライダの引手はフラップの裏面に取り付けられたポケットに収容されるので、開き側の隙間から指先を差し込んでも、引手に直接、触れることができなくなる。スライドファスナの閉止端部の位置で引手がポケットに収容されたスライダは、そのままでは開き側にも閉じ側にも動かないように拘束され、これを動かすにはフラップを留め付けているロック付きの係着手段を解除してフラップを捲らなければならない。かくして、フラップに覆われたスライダが、従来よりも格段に動かされにくくなる。
【００１１】
この抑制衣において、前記ポケットは、その辺縁部のうち少なくとも前記スライドファスナの開き側の辺縁部および前記フラップの自由端側の辺縁部が前記フラップに縫合されて、前記スライドファスナの閉じ側の辺縁部が開口しているものとするのが好ましい。
【００１２】
さらに、本願が開示する発明は、前記フラップの表側部分に、前記ポケットの内側で前記スライダの引手に係合する抜け止め手段が設けられている、との構成を採用する。これにより、ポケットに収容された引手がポケットから一層、抜け出しにくくなる。
【００１３】
前記抜け止め手段は、前記ポケットの開口している辺縁部と重なるように前記フラップに縫合された抜け止め片、あるいは、前記ポケットの内側に突出して前記スライダの引手に係合する抜け止め突起、によって構成することができる。
【００１４】
また、前記フラップにおける折り返しラインの近傍部分は、前記衣服本体の閉じ合わせ部分よりも前記スライドファスナの延長先へはみ出し、そのはみ出し部分は、前記衣服本体に縫合されない縫い残し部となされているのが好ましい。
【発明の効果】
【００１５】
本願が開示する抑制衣は、フラップがスライドファスナの閉止端部の延長先で折り返されて、該閉止端部の表裏両面を覆うように取り付けられるとともに、そのフラップの裏面にポケットが取り付けられて、そのポケットにスライダの引手が収容されるように構成されているので、簡素な構成でありながら、被介護者がフラップの裏側に指先を潜り込ませてスライダを開き側に動かしてしまうことを、従来よりも難しくすることができる。
【図面の簡単な説明】
【００１６】
【図１】スライドファスナによって開閉される、つなぎ寝巻タイプの介護用衣服の一例を示す全体正面図である。
【図２】本願が開示する発明の一実施形態を示す図であって、介護用衣服に取り付ける前のフラップの裏側の構成を示した図である。
【図３】図２のフラップを図１の介護用衣服の襟元部に取り付けた状態を、フラップの裏側を一部破断して示した図である。
【図４】図３の襟元部のスライドファスナを閉じ合わせて、その閉止端部をフラップで覆った状態を正面側から見た図である。
【図５】図４におけるＡ−Ａ断面図である。
【図６】本願が開示する発明の他の実施形態にかかるフラップの裏側の構成を示した図である。
【図７】図６のフラップを図１の介護用衣服の襟元部に取り付けてスライドファスナを閉じ合わせた状態における、図５と同位置の断面図である。
【図８】本願が開示する発明のさらに他の実施形態を示す図であり、スライドファスナを閉じ合わせて、その閉止端部をフラップで覆った状態を正面側から見た図である。
【図９】図８におけるＢ−Ｂ断面図である。
【図１０】特許文献１に開示された、スライドファスナの閉止端部を覆うフラップの形態を示す正面図であり、（a）はフラップを捲った状態、（ｂ）はフラップを留め付けた状態を示す。
【図１１】特許文献２に開示された、スライドファスナの閉止端部を覆うフラップの形態を示す正面図であり、（a）はフラップを捲った状態、（ｂ）はフラップを留め付けた状態を示す。
【発明を実施するための形態】
【００１７】
以下、本願が開示する発明の実施形態について、図面を参照しつつ説明する。なお、図１０および図１１に示した従来技術の構成要素と実質的に同一の構成要素には共通の符号を付す。
【００１８】
図２〜図５は、図１に示した介護用衣服１の襟元部１１（図１中の二重丸囲み部分）に本願が開示する発明を適用して抑制衣とした形態を示している。この抑制衣の前身頃部を開閉するスライドファスナ２は、２個のスライダが「尻合せ」の向きに取り付けられて、襟元部１１および右脚の裾部１２のどちらからでも開閉し得る、いわゆる逆開式のダブルファスナである。
【００１９】
図３および図４に示すように、スライドファスナ２は、ファスナテープ２２(基布)の片側縁にエレメント列２３が設けられた左右一対のファスナチェーン２１と、両ファスナチェーン２１のエレメント列２３同士を噛合・分離させるスライダ３と、を具備する。ファスナテープ２２の外側縁（エレメント列２３の反対側）は、衣服本体を構成する左身頃部１４Ｌおよび右身頃部１４Ｒの裏面にそれぞれ重ねて縫い付けられている。また、スライダ３の柱部３１には引手３２が揺動可能に取り付けられている。
【００２０】
左身頃部１４Ｌ側に取り付けられたファスナチェーン２１のエレメント列２３の上端部には、スライダ３を通り抜ける形状の蝶棒２４が取り付けられている。また、右身頃部１４Ｒ側に取り付けられたファスナチェーン２１のエレメント列２３の上端部には、スライダ３を通り抜けない形状の箱棒２５が取り付けられている。襟元部１１側のスライダ３は、尻側（エレメント列２３同士を噛合させる側）を下向きにしてファスナチェーン２１に装着され、スライダ３を上端部まで引き上げると襟元部１１が閉じる。すなわち、この襟元部１１を開閉するスライドファスナ２にあっては、上端部が閉止端部となる。スライダ３を下ろすと襟元部１１が開いて、両ファスナチェーン２１の上端部にそれぞれ取り付けられた蝶棒２４および箱棒２５が露出する。
【００２１】
本願が開示する発明の要部は、このスライドファスナ２の閉止端部（上端部）を覆うように取り付けられるフラップの構造にある。図２は、介護用衣服１に取り付ける前のフラップ４０を、その裏側から見た図である。フラップ４０は、適度の柔軟性を有する布体またはシート片からなり、例えば、衣服本体と共通の布地を表裏２枚重ね、その辺縁部を縫合するなどして形成されている。フラップ４０は、概ね縦長で、その片側の縦辺が略直線的に長く延び、他側の縦辺が短い、略直角台形のような平面形状をなしている。
【００２２】
フラップ４０の裏面には、ロック付きの係着手段を構成するスナップボタン５の雌部材５２と、スライダ３の引手３２を収容するポケット６とが取り付けられている。これらの構造や取付位置については後述する。
【００２３】
図３は、図２のフラップ４０を襟元部１１に取り付けた状態を示す図であり、フラップ４０の裏側部分４０Ｂを一部破断して表している。フラップ４０は、長手方向の略中間付近で折り返されて、右身頃部１４Ｒ側のファスナチェーン２１の端部に被せられる。そして、フラップ４０の折り返しライン４１に交差する略直線状の長い辺縁部４２が、ファスナチェーン２１と右身頃部１４Ｒとの縫合ラインに沿って、右身頃部１４Ｒの表裏両面に縫合される。フラップ４０の縫合ラインと、ファスナチェーン２１の縫合ラインとの間には、数ｍｍないし十数ｍｍの間隔が設けられる。
【００２４】
フラップ４０の折り返しライン４１は、右身頃部１４Ｒの端部よりもスライドファスナ２の延長先へ数ｍｍ程度、はみ出しており、そのはみ出し部分は、当該衣服本体に縫合されない縫い残し部４３となされている。この縫い残し部４３は、右身頃部１４Ｒ側から指先を挿し込むことができない程度の大きさに形成される。こうして、フラップ４０がスライドファスナ２の閉止端部を表裏両側から大きく覆うように取り付けられる。
【００２５】
図４は、スライドファスナ２を閉じ合わせて、その閉止端部をフラップ４０で覆った状態を正面側から見た図である。スライダ３を閉止端部まで寄せると、折り返されたフラップ４０の表側部分４０Ｆと裏側部分４０Ｂとの間に、左身頃部１４Ｌ側のファスナチェーン２１がスライダ３ととともに呑み込まれる。フラップ４０は、その幅がスライドファスナ２を閉じ合わせた幅よりも十分に広く、また、スライドファスナ２の開閉方向に沿う長さが、表側部分４０Ｆおよび裏側部分４０Ｂともに、スライダ３の引手３２を含めた長さよりも十分に大きくなるように形成されている。例示形態では、フラップ４０の表側部分４０Ｆおよび裏側部分４０Ｂの長さがスライダ３の引手３２を含めた長さの２倍強であり、表側部分４０Ｆよりも裏側部分４０Ｂのほうが若干、長くなっている。
【００２６】
フラップ４０は、その表側部分４０Ｆの自由端側が、ロック付きの係着手段を介して、左身頃部１４Ｌの表面に留め付けられる。例示形態の係着手段を構成するスナップボタン５は、正面視略円形の雄部材５１と雌部材５２とを重ねて嵌合させる金属製または樹脂製の留め具で、例えば前述の特許文献１の第３図、第４図に記載された「自動ロック機構付スナップボタン」と同様の構成を具備する。雄部材５１または雌部材５２の一方に板バネ等を利用したロック機構が組み込まれ、該部材の中央を押し込むなどして板バネ等を変形させると、板バネ等が相手側部材に係合して、雄部材５１と雌部材５２とが容易には外れなくなる。
【００２７】
雄部材５１および雌部材５２は、それぞれ例えば合成繊維製の織テープ等からなる腰の強い補強基布５３にあらかじめ嵌着されている。その補強基布５３が略矩形にカットされて、左身頃部１４Ｌの表面とフラップ４０の表側部分４０Ｆの裏面とにそれぞれ縫合されている。それらの縫合位置については、図４に示すスライドファスナ２の閉じ合わせ状態において、フラップ４０の折り返しライン４１とスナップボタン５との間に左身頃部１４Ｌ側から指先を挿し込めないような位置となされている。
【００２８】
ポケット６は、スライドファスナ２を閉じ合わせたときに、その閉止端部に位置するスライダ３の引手３２を収容し得る位置に取り付けられている。ポケット６は、フラップ４０よりも腰の強い、例えば合成繊維製の織テープ等からなる略矩形の部材で、その四周を囲む辺縁部のうち、スライドファスナ２の開き側の辺縁部およびフラップ４０の自由端側の辺縁部がフラップ４０に縫合されて、スライドファスナ２の閉じ側の辺縁部およびフラップ４０の基端側（右身頃部１４Ｒに対する縫合ライン側）の辺縁部が縫合されずに開口している（図２中の白抜き矢符参照）。そして、スライドファスナ２の閉じ側の辺縁部が、スライドファスナ２の閉止端部に寄せられたスライダ３の柱部３１に接するあたりに配置されている。ポケット６の幅は、スライダ３の引手３２が若干の余裕を持って挿脱される程度の寸法となされ、ポケット６の高さ（深さ）は、スライダ３の柱部３１よりも下方に垂下した引手３２の下半部が若干の余裕を持って収容される程度の寸法となされている。
【００２９】
このポケット６にスライダ３の引手３２を収容する操作は、スライダ３を閉止端部に寄せた状態で、フラップ４０のスナップボタン５を左身頃部１４Ｌに留め付ける前に、スライドファスナ２の閉止端部近傍とフラップ４０とを曲げながら、引手３２をポケット６の中に挿し込むようにして行う。引手３２をポケット６に収容してからスナップボタン５を嵌合させることで、引手３２がポケット６から容易には抜け出せない状態に保持される。
【００３０】
図５は、図４におけるＡ−Ａ断面図である。スライドファスナ２の閉止端部に寄せられたスライダ３の引手３２が、該閉止端部を覆うフラップ４０の表側部分４０Ｆの裏面に取り付けられたポケット６に収容されると、この引手３２に対しては、スライドファスナ２の開き側からも閉じ側からも指先で直接、触れることができなくなる。この状態では、フラップ４０の外側からスライダ３を揉み出すようにして動かそうとしても、引手３２がポケット６に引っ掛かるので、スライダ３は開き側にはほとんど動かせない。かかる作用により、被介護者の不適切な操作によってスライドファスナ２が開かれることを合理的に防止することができる。
【００３１】
このように構成されるフラップ４０は、スライドファスナ２の閉止端部の裏側も大きく覆うので、閉止端部近傍に取り付けられる金属部品等が身体に接触する際の圧迫感や痛感を緩和する作用もなす。また、このフラップ４０は、スナップボタン５を外しさえすれば、左身頃部１４Ｌ側に向かって半分開いた袋状になるので、例えば閉止端部近傍でスライダ３を上げ下げしたり、スライダ３に左身頃部１４Ｌ側の蝶棒２４を挿脱したりする際にも、それらの操作を妨げない。さらに、フラップ４０の折り返しライン４１に交差する略直線状の辺縁部４２が右身頃部１４Ｒの表裏両面に縫合されていることで、左身頃部１４Ｌ側に向かって半分開いた袋状の形態が好適に保型される。
【００３２】
また、フラップ４０の縫合ラインとファスナチェーン２１の縫合ラインとの間に間隔を設けて、フラップ４０とファスナチェーン２１とを衣服本体に対して別々に縫合することで、それぞれの縫合作業が容易になるとともに、フラップ４０やスライドファスナ２に損傷や不具合が生じた場合は、それぞれを個別に修理・交換することも可能になる。さらに、フラップ４０の折り返しライン４１の近傍部分を縫い残し部４３として、折り返しライン４１とスライドファスナ２の閉止端部との間に指先が入らない程度のクリアランスを設けているので、スライダ３をファスナチェーン２１に着脱したり、不具合の生じたスライダ３を交換したりする作業も、無理なく行うことができる。また、フラップ４０やスライドファスナ２を衣服本体から取り外して交換する必要が生じた場合は、フラップ４０の縫い残し部４３にハサミを入れることで、それらの縫合箇所を容易にほどくことができる。
【００３３】
図６〜図７は、本願が開示する発明の他の実施形態を示す。この実施形態にかかるフラップ４０は、図２〜図５に示したフラップ４０と同じ大きさおよび形状を有して、同じ部位に取り付けられる。ポケット６も、前述の実施形態と同じ形状および大きさを有して、前述の実施形態と同様に、スライドファスナ２の閉止端部に位置するスライダ３の引手３２を収容し得る位置に取り付けられる。ただし、この実施形態では、ポケット６の四周を囲む辺縁部のうち、スライドファスナ２の開き側の辺縁部、およびそれに交差する左右の辺縁部（フラップ４０の自由端側の辺縁部と基端側の辺縁部）の三辺がフラップ４０に縫合されて、スライドファスナ２の閉じ側の辺縁部だけが縫合されずに開口している（図６中の白抜き矢符参照）。
【００３４】
そして、ポケット６の開口している辺縁部とフラップ４０の表側部分４０Ｆとの間に、
スライダ３の引手３２をポケット６から抜け出し難くする抜け止め片７１が取り付けられている。抜け止め片７１は、例えばポケット６と同様の織テープ等からなる略矩形の部材で、その横幅がポケット６の幅と略同寸に形成され、その高さがポケット６の高さの半分程度に形成されている。抜け止め片７１は、その下辺部（スライドファスナ２の開き側に位置する辺縁部）を、ポケット６の開口部（フラップ４０に縫合されずに開口している辺縁部）よりもポケット６内へ少し潜り込ませるようにして、フラップ４０の表側部分４０Ｆとポケット６との間に挟み込まれる。そして、スライドファスナ２の閉じ側の辺縁部がフラップ４０の表側部分４０Ｆに縫合されるとともに、それに交差する左右の辺縁部がポケット６の左右の辺縁部と一緒に表側部分４０Ｆに縫合されている。しかし、スライドファスナ２の開き側の辺縁部だけは表側部分４０Ｆに縫合されず、図７に示すように、表側部分４０Ｆから少し浮き上がるように取り付けられている。
【００３５】
ポケット６の開口部にこのような抜け止め片７１が取り付けられていると、フラップ４０を変形させるなどしてスライダ３の引手３２をポケット６の外へ押し出そうとしても、スライダ３の引手３２に形成されている孔部３３が、フラップ４０に縫合されてない抜け止め片７１の辺縁部に引っ掛かって、ポケット６から抜け出しにくくなる。
【００３６】
図８〜図９は、本願が開示する発明のさらに他の実施形態を示す。この実施形態にかかるフラップ４０は、図２〜図５および図６〜図７に示したフラップ４０と同じ部位に取り付けられるものであるが、その表側部分４０Ｆの大きさが前述の実施形態よりもスライドファスナ２の開閉方向に拡張されており、その拡張方向に沿ってスナップボタン５が２組、取り付けられている。２組のスナップボタン５はいずれも前述の実施形態と同様のもので、雄部材５１が左身頃部１４Ｌの表面に取り付けられ、雌部材５２がフラップ４０の裏面に取り付けられている。そして、閉止端部に近いほう（図８中の上側）のスナップボタン５は、フラップ４０の折り返しライン４１との間に左身頃部１４Ｌ側から指先を挿し込めない位置に取り付けられている。
【００３７】
ポケット６は、前記２例の実施形態と同様に、スライドファスナ２を閉じ合わせたとき、その閉止端部に位置するスライダ３の引手３２を収容し得る位置に取り付けられている。ポケット６の大きさや材質も、前記２例の実施形態と同様である。この実施形態にかかるポケット６は、図６に示したポケット６と同様に、四周を囲む辺縁部のうち、スライドファスナ２の閉じ側の辺縁部を除く三辺がフラップ４０に縫合されている。
【００３８】
そして、フラップ４０の表側部分４０Ｆには、その裏面に縫合されたポケット６の内側に突出する抜け止め突起７２が設けられている。この抜け止め突起７２は、例えば小さいスナップホックのような部材を利用してなるもので、例示形態では、フラップ４０の表側部分４０Ｆの表裏両面から一対の合わせ部材を嵌着して取り付けられている。ポケット６の内側にこのような抜け止め突起７２を取り付けて、スライダ３の引手３２に形成された孔部３３がこの抜け止め突起７２に引っ掛かるようにすることで、ポケット６から引手３２を抜き出すことを一層、難しくすることができる。
【００３９】
以上に説明したように、本願が開示する抑制衣は、フラップ４０がスライドファスナ２の閉止端部の延長先で折り返されて、該閉止端部の表裏両面を覆うように取り付けられるとともに、そのフラップ４０の裏面にポケット６が取り付けられて、そのポケット６にスライダ３の引手３２が収容されるように構成されている。したがって、簡素な構成でありながら、被介護者がフラップ４０の裏側に指先を潜り込ませてスライダ３の引手３２を抜き出し、スライダ３を開き側に動かしてしまうことを、従来よりも難しくすることができる。
【００４０】
なお、本願が開示する発明の技術的範囲は、例示の実施形態によって限定的に解釈されるべきものではなく、特許請求の範囲の記載に基づいて概念的に解釈されるべきものである。本願が開示する発明の実施に際しては、特許請求の範囲において具体的に特定していない部材・部品の形状、寸法、材質、構造、位置関係、接合形態等を、例示形態と実質的に同様の作用効果が得られる範囲内で適宜、改変して実施することができる。
【００４１】
例えば、スライドファスナ２が逆開式のダブルファスナである場合、フラップ４０は反対側の閉止端部、つまり、例示した介護用衣服１にあっては右脚の裾部１２にも取り付けることができる。内股部分を開閉するスライドファスナ２についても同様に、右脚の裾部１２と左脚の裾部１３との両方にフラップ４０を取り付けることができる（図１中の一重丸囲み部分）。
【００４２】
フラップ４０の材質は、布体に代えて、例えば軟質合成樹脂や合成皮革等からなるシート片を利用するものであってもよい。ポケット６の材質についても同様である。フラップ４０およびポケット６の寸法や正面形状、縫合位置や縫い方等は、使い勝手や意匠性等を考慮して適宜、改変されてもよい。フラップ４０を衣服本体に留め付けるロック付きの係着手段については、例示のスナップボタン５に類する公知の施錠部品等を適宜利用することができる。ポケットの内側に突出させる抜け止め突起７２についても、公知の縫製用部品等を適宜利用することができる。
【００４３】
本願が開示する発明は、高齢者や障害者を介護する施設、精神病院、児童保護施設、刑務所等において、着用者の行動を一定の範囲内で抑制するために使用されるスライドファスナ付きの抑制衣に広く適用することができる。この発明における「抑制衣」には、例示したつなぎ寝衣タイプの介護用衣服のほか、上衣と下衣とが別れた衣服や、ガウンタイプの衣服、腰回りに着装するおむつカバー等に同様の抑制手段を適用したものも含む。また、手首から指先を覆うミトンや、ベッド等に身体を拘束するための抑制帯など、前記衣服と同様の目的で使用されるスライドファスナ付きの介護用品に適用したものも包含するものとする。
【符号の説明】
【００４４】
１  介護用衣服
１１  襟元部
１２  右脚の裾部
１３  左脚の裾部
１４Ｒ  右身頃部
１４Ｌ  左身頃部
２  スライドファスナ
２１  ファスナチェーン
２２  ファスナテープ
２３  エレメント列
２４  蝶棒
２５  箱棒
３  スライダ
３１  柱部
３２  引手
３３  孔部
４０  フラップ
４０Ｆ  表側部分
４０Ｂ  裏側部分４１  折り返しライン
４２  略直線状の辺縁部
４３  縫い残し部
５  スナップボタン
５１  雌部材
５２  補強基布
６  ポケット
７１  抜け止め片
７２  抜け止め突起
【図１】
2020070526.tif 000003
【図２】
2020070526.tif 000004
【図３】
2020070526.tif 000005
【図４】
2020070526.tif 000006
【図５】
2020070526.tif 000007
【図６】
2020070526.tif 000008
【図７】
2020070526.tif 000009
【図８】
2020070526.tif 000010
【図９】
2020070526.tif 000011
【図１０】
2020070526.tif 000012
【図１１】
2020070526.tif 000013